(57)【特許請求の範囲】
【請求項１】
包装体の内容物取出し口の上および近傍に固定される、被覆シートと補強シートとを含む蓋体であって、
前記補強シートは、包装体の内容物取出し口近傍を補強するために内容物取出し口近傍に固定され、
前記被覆シートは、一端部側から剥離可能で且つ剥離された剥離部分が内容物取出し口を被覆するように再接着可能なように形成され、
前記補強シートは、被覆シートが包装体より剥離されたとき、包装体に固着された状態において、包装体表面に残存する常時固着部分と、被覆シートの裏面に貼着した状態において、被覆シートの剥離される剥離部分と共に剥離される剥離部分とに区分され、少なくとも、剥離される剥離部分の裏面には、再接着型被覆粘着剤層が形成され、
補強シートは、包装体に固着された状態において、包装体表面に残存する前記常時固着部分が枠型に形成され、被覆シートの裏面に貼着した状態において被覆シートの剥離される剥離部分と共に剥離される前記剥離部分が、内容物取出し口およびその周辺から剥離されるものであって、且つ、包装体表面に残存する枠型の前記常時固着部分内に嵌合すると共に、前記内容物取出し口よりも広い形状に形成され、
被覆シートは、補強シートとほぼ同型の外形に形成され、
前記被覆シートの、前記補強シートの前記枠型に形成された常時固着部分から剥離される部分には、接着剤層が形成された、蓋体。
【請求項２】
前記枠型がロの字型であり、
前記枠型の前記常時固着部分内に嵌合すると共に、前記内容物取出し口よりも広い形状が、略方形状である、請求項１に記載の蓋体。
【請求項３】
前記補強シートは、前記枠型に形成された前記常時固着部分と、前記枠型の前記常時固着部分内に嵌合すると共に、前記内容物取出し口よりも広い形状に形成された前記剥離部分との境界において、カット部分が形成された、請求項１または請求項２に記載の蓋体。
【請求項４】
被覆シートは、被覆基材と、被覆基材の裏面に貼着された立上がり補助シートとを備え、前記立上り補助シートの裏面には、前記接着剤層が形成された、請求項３に記載の蓋体。
【請求項５】
前記立上がり補助シートは、剥離された剥離部分において被覆基材と共に包装体より剥離される剥離部分と、前記被覆基材と共に包装体に固着された常時固着部分とに区分され、剥離された剥離部分と固着された常時固着部分との境界において、ミシン目及び／またはカット部分が形成された、請求項４に記載の蓋体。
【発明の詳細な説明】
【０００１】
【発明の属する技術分野】
この発明は、包装体の内容物取出し口に固定されて反復して開閉することが可能な蓋体に関し、特に例えば、ウェットティッシュ等の密封袋等のような包装体の内容物取出し口に固着して用いるに好適な蓋体に関するものである。
【０００２】
【従来の技術】
ウェットティッシュ等の密封袋のような包装体自体に包装体の内容物取出し口を形成し、かかる包装体の内容物取出し口の近傍に固着された開閉可能な蓋用ラベルとしては、例えば実用新案登録第２５３７７８７号等の包装体の蓋用ラベルがある。
【０００３】
【発明が解決しようとする課題】
しかしながら、この従来の包装体の蓋用ラベルにおいては、包装体自体がアルミニウムとプラスチックフィルムの積層シートのような比較的柔軟なものをもって形成されているため、切込みを設けてなる内容物取出し口近傍付近に皺が寄ったり、波打ったりする場合が多く、内容物取出し口よりウェットティッシュ等の内容物を何回も取出すと、その度に再接着可能な包装体の蓋用ラベルを剥離および再接着の動作を繰り返すことにより、包装体の内容物取出し口近傍に密着させることができなくなる。
特に、包装体が柔軟なものであれば、より一層その問題点が出てくる。
それゆえに、この発明の主たる目的は、たとえ包装体が柔軟なもので形成されていても、包装体の内容物取出し口近傍を補強することにより、開封および再接着して密封する作業を繰り返しても、包装体が比較的平面状を維持することができ、蓋体を密着することができる蓋体を提供することである。
【０００４】
【課題を解決するための手段】
この発明の請求項１に記載の蓋体は、包装体の内容物取出し口の上および近傍に固定される、被覆シートと補強シートとを含む蓋体であって、補強シートは、包装体の内容物取出し口近傍を補強するために内容物取出し口近傍に固定され、被覆シートは、一端部側から剥離可能で且つ剥離された剥離部分が内容物取出し口を被覆するように再接着可能なように形成され、前記補強シートは、被覆シートが包装体より剥離されたとき、包装体に固着された状態において、包装体表面に残存する常時固着部分と、被覆シートの裏面に貼着した状態において、被覆シートの剥離される剥離部分と共に剥離される剥離部分とに区分され、少なくとも、剥離される剥離部分の裏面には、再接着型被覆粘着剤層が形成され、補強シートは、包装体に固着された状態において、包装体表面に残存する前記常時固着部分が枠型に形成され、被覆シートの裏面に貼着した状態において被覆シートの剥離される剥離部分と共に剥離される前記剥離部分が、内容物取出し口およびその周辺から剥離されるものであって、且つ、包装体表面に残存する枠型の前記常時固着部分内に嵌合すると共に、前記内容物取出し口よりも広い形状に形成され、被覆シートは、補強シートとほぼ同型の外形に形成され、前記被覆シートの、前記補強シートの前記枠型に形成された常時固着部分から剥離される部分には、接着剤層が形成された、蓋体である。
この発明の請求項２に記載の蓋体は、前記枠型がロの字型であり、前記枠型の前記常時固着部分内に嵌合すると共に、前記内容物取出し口よりも広い形状が、略方形状である、請求項１に記載の蓋体である。
この発明の請求項３に記載の蓋体は、前記補強シートは、前記枠型に形成された前記常時固着部分と、前記枠型の前記常時固着部分内に嵌合すると共に、前記内容物取出し口よりも広い形状に形成された前記剥離部分との境界において、カット部分が形成された、請求項１または請求項２に記載の蓋体である。
この発明の請求項４に記載の蓋体は、被覆シートは、被覆基材と、被覆基材の裏面に貼着された立上がり補助シートとを備え、前記立上り補助シートの裏面には、前記接着剤層が形成された、請求項３に記載の蓋体である。
この発明の請求項５に記載の蓋体は、前記立上がり補助シートは、剥離された剥離部分において被覆基材と共に包装体より剥離される剥離部分と、前記被覆基材と共に包装体に固着された常時固着部分とに区分され、剥離された剥離部分と固着された常時固着部分との境界において、ミシン目及び／またはカット部分が形成された、請求項４に記載の蓋体である。
【０００５】
この発明の上述の目的，その他の目的，特徴および利点は、図面を参照して行う以下の発明の実施の形態の詳細な説明から一層明らかとなろう。
【０００６】
【発明の実施の形態】
図１は、この発明の蓋体を用いた包装体の全体を示す図解図である。
図２は、蓋体を分解した状態を示す図解図である。図３は、被覆シートの裏面側の斜視図である。図４は、蓋体の密封状態における断面図解図である。図５は、蓋体の開封状態における、蓋体を分解した状態を示す断面図解図である。図６は、蓋体を開封する方法を示す断面図解図である。
この蓋体１０は、包装体１の上面に形成された破線切込み部からなる内容物取出し口２の上および近傍に固定されるものである。
包装体１は、水を透過しないシート、例えばアルミニウムを蒸着した合成樹脂シートで構成された包装体であり、その内部には、一枚ずつ内容物取出し口２より取出すことができるように折り畳み積層されたウェットタイプのティッシュペーパー群が収納されている。
【０００７】
蓋体１０は、前記包装体１の柔軟性に対応し、比較的柔軟な素材で形成されており、略方形状、楕円形状の被覆シート１２と、前記被覆シート１２の下部において包装体１の内容物取出し口２近傍を補強するために、内容物取出し口２近傍に固着される補強シート１４とを含み、被覆シート１２と補強シート１４とは同型の外形に形成されている。
蓋体１０は、一端部側を摘み上げ他端部に向けて引っ張ることにより剥離可能で、包装体１の内容物取出し口２から内容物を取出すために剥離されたとき剥離部分が立上がる立上がり部１８が形成され、且つ、剥離された剥離部分が包装体１の内容物取出し口２を被覆するように、再接着型被覆粘着剤層１６によって、再接着可能なように形成されている。
【０００８】
被覆シート１２は、平面略方形の紙、合成樹脂シート等からなる被覆基材２０と、前記被覆基材２０の裏面に第１接着剤層２２が形成されている。
被覆シート１２は、被覆シート１２の一端部（図示例においては、左側端部）において形成された、一端部側から摘み上げ他端部に向けて引っ張るための摘み片２８と、摘み片２８とは反対側に包装体１と常時固着されている常時固着部２６とが形成され、摘み片２８により剥離されて立上がり部１８を形成する剥離部２４と常時固着部２６との境界、すなわち、前記摘み片２８とは反対側（図示例においては、右側端部）に形成された短冊状常時固着部２６との境界において、折れ曲がるように形成されている。
【０００９】
剥離される剥離部２４部分に形成された立上がり部１８が確実に立上がるように、前記被覆基材２０の裏面に、第１接着剤層２２で被覆基材２０と同型の立上がり補助シート３０が貼着されている。
すなわち、立上がり補助シート３０は、被覆基材２０の裏面に形成された第１接着剤層２２で被覆基材２０に貼着され、立上がり補助シート３０は、立上がり部１８部分において、被覆基材２０の剥離部２４と共に包装体１より剥離される剥離部３２と、被覆基材２０の常時固着部２６と共に包装体１に固着された常時固着部３４とに区分される。
【００１０】
剥離された剥離部３２と固着された常時固着部３４との境界において、ミシン目および／またはカット部３６が形成されている。
すなわち、被覆シート１２について言えば、被覆シート１２の一端部（図示例においては、左側端部）において形成された摘み片２８とは反対側に常時固着部２６が形成され、剥離部２４と常時固着部２６との境界、すなわち、前記摘み片２８とは反対側（図示例においては、右側端部）に形成された短冊状常時固着部２６との境界において、ミシン目３６が形成されている。
【００１１】
立上がり補助シート３０は、前記被覆基材２０の剥離部２４に対応する立上がり部１８に相当する剥離部３２と、ミシン目３６を介して形成される常時固着部３４とを含み、被覆基材２０の剥離部２４と立上がり補助シート３０の剥離部３２とは、ほぼ同型に形成され、被覆基材２０の常時固着部２６と立上がり補助シート３０の常時固着部３４とは、ほぼ同型に形成されている。
ミシン目３６は、被覆基材２０には形成されておらず、剥離部３２と常時固着部３４とは、単に、立上がり補助シート３０に形成されたミシン目３６によって区分されているに過ぎない。
立上がり補助シート３０の裏面には、第２接着剤層３８が形成され、第２接着剤層３８によって、補強シート１４が貼着されている。
【００１２】
補強シート１４は、被覆シート１２が包装体１より剥離されたとき、包装体１に固着された状態において、包装体１表面に残存し常時包装体１表面に固着される常時固着部５０と、被覆基材２０が剥離されたとき、剥離される部分たる剥離部５２とに区画される。
【００１３】
補強シート１４は、ほぼロの字型、外形が楕円のドーナツ型の常時固着部５０の枠内に、前記立上がり補助シート３０の剥離部３２と一体化して包装体１より剥離される剥離部５２が形成される。
補強シート１４は、被覆シート１２とほぼその外形が同型であるが、常時固着部５０と剥離部５２とを幅方向に形成されたカット５４において分割されており、再接着型被覆粘着剤層１６が剥離部５０の裏面に形成されている。もっとも、常時固着部５０の裏面には、粘着剤層５６が形成されているが、この粘着剤層５６は必ずしも再接着型ではなくてもよい。
【００１４】
なお、被覆シート１２を摘み片２８をもって包装体１より剥離すれば、立上がり補助シート３０の剥離部３２と、補強シート１４の剥離部５２とが一体となったまま立上がり、内容物取出し口２より内容物を取出すことができるように形成されているが、そのために補強シート１４の常時固着部５０を立上がり補助シート３０と接着する第２接着剤層３８の接着力の方が、補強シート１４を包装体１に常時固着部５０を包装体１の表面に接着する粘着剤層５６の接着力よりも若干弱くなるように形成され、且つ補強シート１４の剥離部５２の裏面の再接着型被覆粘着剤層１６の方が内容物取出し口２近傍より剥離するようにその接着力を調整する必要性がある。
特に、内容物取出し口２の近傍の包装体１の表面は、例えば、糊殺しと称される接着力を弱めるものを塗工し、補強シート１４の剥離部５２が立上がり補助シート３０の剥離部３２と共に剥離されるようにその接着力が調整される必要性がある。
【００１５】
ミシン目等の破線切込み部からなる内容物取出し口２は、第１回目の蓋体１０の開封時に、再接着型被覆粘着剤層１６と共に切り取られ、内容物取出し口２より内容物のウェットティッシュを一枚ずつ取出すことができるようになる。
そして、包装体１より内容物のウェットティッシュを取出すときには、蓋体の摘み片２８を指で摘み、被覆基材２０の剥離部２４、立上がり補助シート３０の剥離部３２および補強シート１４の剥離部５２を共に剥離して立上がり部１８として立ち上がらせると、ミシン目３６の作用および立上がり補助シート３０の作用によって、全開状態をそのまま保持し、内容物の取出しを容易にする。
【００１６】
【発明の効果】
この発明によれば、立上がり補助シート３０の作用によって立上がり部１８が被覆シート１２の立上がり状態を保持し、補強シート１４が包装体１の内容物取出し口２近傍を補強して、包装体１に皺が生じたり湾曲したりすることを防ぎ、常に蓋体１０と包装体１の内容物取出し口２近傍に密着することができる。
しかも、立上がり補助シート３０のミシン目３６により形成すれば、より立上がり部１８を立上がり易くすることができる。
【図面の簡単な説明】
【図１】本発明の蓋体を用いた包装体の全体を示す図解図である。
【図２】本発明の蓋体を分解した状態を示す図解図である。
【図３】被覆シートの裏面側の斜視図である。
【図４】本発明の蓋体の密封状態における断面図解図である。
【図５】本発明の蓋体の開封状態における、蓋体を分解した状態を示す断面図解図である。
【図６】蓋体を開封する方法を示す断面図解図である。
【符号の説明】
１  包装体
２  内容物取出し口
１０  蓋体
１２  被覆シート
１４  補強シート
１６  再接着型被覆粘着剤層
１８  立上がり部
２０  被覆基材
２２  第１接着剤層
２４  剥離部
２６  常時固着部
２８  摘み片
３０  立上がり補助シート
３２  剥離部
３４  常時固着部
３６  ミシン目
３８  第２接着剤層
５０  常時固着部
５２  剥離部
５４  カット
５６  粘着剤層
【図１】
0004711501.tif 000002
【図２】
0004711501.tif 000003
【図３】
0004711501.tif 000004
【図４】
0004711501.tif 000005
【図５】
0004711501.tif 000006
【図６】
0004711501.tif 000007